(57)【要約】【課題】電源部に設けたスイッチ操作を行なうことで、ＶＨＦ増幅回路の電源を遮断してその増幅機能を停止することができる高周波増幅装置を提供する。【解決手段】高周波増幅部１０及び電源部２０を分離して設ける。電源部２０は、２種類の直流電圧Ａ、Ｂ（Ａ＞Ｂ）を電圧切換スイッチ２６により選択して高周波信号に重畳し、同軸ケーブル１９を介して高周波増幅部１０へ送出する。高周波増幅部１０は、電源部２０からの直流電圧Ａ、Ｂを電源分離回路１６で分離し、電源遮断回路１７及び電源回路１８に供給する。電源遮断回路１７は、直流電圧Ａが送られてきた場合は、その直流電圧ＡをＶＨＦ増幅回路１２に供給し、直流電圧Ｂが送られてきた場合は、ＶＨＦ増幅回路１２への電源を遮断して増幅動作を停止させる。また、電源回路１８は、直流電圧Ａ、Ｂの何れが送られてきた場合でも、直流電圧をＵＨＦ増幅回路１３に供給して動作状態に保持する。【選択図】    図１
2006033364.tif 000002
【特許請求の範囲】
【請求項１】
第１の帯域のテレビ放送波を増幅する第１の増幅回路及び第２の帯域のテレビ放送波を増幅する第２の増幅回路を備えた高周波増幅部と、
前記高周波増幅部と別体に設けられ、前記高周波増幅部に同軸ケーブルを介して接続される電源部と、前記電源部に設けられ、値の異なる第１及び第２の直流電圧を切換えて出力する電圧切換スイッチと、前記電圧切換スイッチにより選択された第１あるいは第２の直流電圧を前記高周波増幅部で増幅された高周波信号に重畳し、前記同軸ケーブルを介して高周波増幅部へ供給する重畳回路と、
前記高周波増幅部に設けられ、前記電源部から同軸ケーブルを介して送られてくる第１あるいは第２の直流電圧を高周波信号から分離する電源分離回路と、前記電源分離回路により分離された直流電圧の値に応じて動作し、第１の電圧の場合は該第１の電圧を前記第１の増幅回路に供給し、第２の電圧の場合は前記第１の増幅回路への供給電源を遮断する電源遮断回路と、前記電源分離回路により分離された直流電圧によって動作し、該直流電圧が第１、第２の何れの値であっても所定の直流電圧を前記第２の増幅回路に供給する電源回路とを具備したことを特徴とする高周波増幅装置。
【発明の詳細な説明】
【技術分野】
【０００１】
本発明は、アンテナで受信したテレビ放送電波を増幅してテレビ受像機に入力する高周波増幅装置に関する。
【背景技術】
【０００２】
現在、テレビジョンの地上放送は、ＶＨＦ帯とＵＨＦ帯で行なわれている。上記ＶＨＦ帯とＵＨＦ帯のテレビ放送を一般家庭におけるテレビ受像機で受信する場合、アンテナで受信したテレビ放送波の信号レベルが低いときには、高周波増幅装置（ブースタ）を使用して受信信号（ＶＨＦ帯及びＵＨＦ帯）を増幅している。
【０００３】
上記高周波増幅装置は、増幅部と電源部が分離して設けられ、増幅部は通常屋根の上に設置されたアンテナの直下に配置される。テレビ受信用のアンテナは一般に屋根の上に設置されるので、高周波増幅装置の増幅部も屋根の上に配置される。一方、高周波増幅装置の電源部は、室内のテレビ受像機の近くに配置され、アンテナとテレビ受像機との間を接続する同軸ケーブルを利用して上記増幅部に電源を供給している（例えば、特許文献１参照。）。
【０００４】
また、地上デジタル（テレビジョン）放送（ISTB-T：Terrestrial Integrated Services Digital Broadcasting）は、２００３年１２月から関東、近畿及び中京広域圏で既に放送が開始されており、２００６年までにその他の地域でも放送開始が予定されている。上記地上デジタル放送の開始に伴い、２０１１年７月にはアナログテレビ放送が終了する。
【０００５】
また、上記高周波増幅装置の増幅部は、ＶＨＦ増幅回路とＵＨＦ増幅回路を備え、ＶＨＦ帯とＵＨＦ帯の両方を増幅しているが、アナログテレビ放送が終了した後は、ＶＨＦ増幅回路を動作させる必要がなくなる。
【特許文献１】実開昭５７−２７４１号公報
【発明の開示】
【発明が解決しようとする課題】
【０００６】
上記のようにアナログテレビ放送は２０１１年７月には終了し、その後はテレビ放送ではなく、他の様々な用途に使用されることになっている。このためアナログテレビ放送終了後、高周波増幅装置においてＶＨＦ帯の増幅を継続すると、アナログテレビ放送に代わる他の様々な電波を増幅することになり、本来の目的であるＵＨＦ帯の信号増幅に支障をきたす恐れがある。このためアナログテレビ放送終了後は、ＶＨＦ増幅回路の利得を下げるか、あるいはＶＨＦ増幅回路の動作を停止させることが望ましい。
【０００７】
高周波増幅装置の増幅部には、ＶＨＦ増幅回路の利得を下げるボリウム等が設けられているので、このボリウムを操作してＶＨＦ増幅回路の利得を下げることができる。
【０００８】
しかし、高周波増幅装置の増幅部は、一般に屋根の上に設置されているので、ＶＨＦ増幅回路の利得を下げるためには屋根の上に登る必要がある。このようにＶＨＦ増幅回路の利得を下げるために屋根の上に登ることは、一般の人にとっては非常に危険な行為であり、あまり望ましいものではない。
【０００９】
本発明は上記の課題を解決するためになされたもので、電源部に設けたスイッチ操作を行なうことで、ＵＨＦ増幅回路に対する電源の供給を継続した状態で、ＶＨＦ増幅回路の電源を遮断してその増幅機能を停止することができる高周波増幅装置を提供することを目的とする。
【課題を解決するための手段】
【００１０】
本発明に係る高周波増幅装置は、第１の帯域のテレビ放送波を増幅する第１の増幅回路及び第２の帯域のテレビ放送波を増幅する第２の増幅回路を備えた高周波増幅部と、
前記高周波増幅部と別体に設けられ、前記高周波増幅部に同軸ケーブルを介して接続される電源部と、前記電源部に設けられ、値の異なる第１及び第２の直流電圧を切換えて出力する電圧切換スイッチと、前記電圧切換スイッチにより選択された第１あるいは第２の直流電圧を前記高周波増幅部で増幅された高周波信号に重畳し、前記同軸ケーブルを介して高周波増幅部へ供給する重畳回路と、
前記高周波増幅部に設けられ、前記電源部から同軸ケーブルを介して送られてくる第１あるいは第２の直流電圧を高周波信号から分離する電源分離回路と、前記電源分離回路により分離された直流電圧の値に応じて動作し、第１の電圧の場合は該第１の電圧を前記第１の増幅回路に供給し、第２の電圧の場合は前記第１の増幅回路への供給電源を遮断する電源遮断回路と、前記電源分離回路により分離された直流電圧によって動作し、該直流電圧が第１、第２の何れの値であっても所定の直流電圧を前記第２の増幅回路に供給する電源回路とを具備したことを特徴とする。
【発明の効果】
【００１１】
本発明によれば、室内に配置されている電源部の電圧切換スイッチを操作するだけで、アンテナの近く例えば屋根の上に設置されている高周波増幅部の第１の増幅回路例えばＶＨＦ増幅回路のオン／オフ動作を任意に制御することができる。このため例えば地上デジタル放送の開始に伴ってアナログテレビ放送が終了し、ＶＨＦ増幅回路を動作させる必要がなくなった場合、屋根の上に登ることなく、安全で且つきわめて簡単にＶＨＦ増幅回路の電源を遮断して増幅動作を停止させることができる。また、ＶＨＦ増幅回路の増幅動作が不要になった場合に、その電源を遮断しているので、ＶＨＦ増幅回路の動作を確実に停止させることができ、不要な電波を増幅してテレビ受像機あるいは他の電子機器に悪影響を与える恐れを全く無くすことができ、且つ消費電力を低減して電気代を節約できるという経済的効果も得られる。
【発明を実施するための最良の形態】
【００１２】
以下、図面を参照して本発明の一実施形態を説明する。  
図１は、本発明の一実施形態に係る高周波増幅装置の構成を示すブロック図である。
【００１３】
図１において、１０は高周波増幅装置の高周波増幅部（ブースタ部）、２０は高周波増幅装置の電源部で、両者は分離して設けられる。上記高周波増幅部１０は、通常、アンテナの近くに設置され、電源部２０は室内に設置されるテレビ受像機（図示せず）の近くに配置される。
【００１４】
上記高周波増幅部１０は、アンテナの受信信号が入力される入力端子１１を備え、この入力端子１１にはＶＨＦ増幅回路１２及びＵＨＦ増幅回路１３の入力端が接続される。上記ＶＨＦ増幅回路１２及びＵＨＦ増幅回路１３の出力端は、直流成分を遮断するコンデンサ１４を介して出力端子１５に接続される。上記ＶＨＦ増幅回路１２は、アンテナで受信されたＶＨＦ帯のテレビ放送波を増幅し、ＵＨＦ増幅回路１３は、アンテナで受信されたＵＨＦ帯のテレビ放送波を増幅する。上記ＶＨＦ増幅回路１２及びＵＨＦ増幅回路１３には、図示しないが、それぞれ利得調整用のボリウムが設けられている。
【００１５】
上記ＵＨＦ増幅回路１３は、デジタル放送波、アナログ放送波の何れであっても正常に増幅することができる。そして、上記ＶＨＦ増幅回路１２及びＵＨＦ増幅回路１３で増幅された信号は、出力端子１５より伝送線路例えば同軸ケーブル１９を介して電源部２０へ送られる。
【００１６】
電源部２０は、同軸ケーブル１９により伝送される高周波信号に直流電圧を重畳して、高周波増幅部１０に送出する。この場合、電源部２０は、詳細を後述するように、２種類の直流電圧Ａ、Ｂを切換えて高周波信号に重畳できるように構成されている。上記直流電圧Ａ、Ｂは、Ａ＞Ｂの関係に設定されるもので、例えば「Ａ＝１５Ｖ」、「Ｂ＝７．５Ｖ」に設定される。
【００１７】
上記高周波増幅部１０は、電源部２０から同軸ケーブル１９を介して送られてくる直流電圧Ａ、Ｂを高周波信号から分離する電源分離回路１６を備え、分離した直流電圧Ａ、Ｂを電源遮断回路１７を介してＶＨＦ増幅回路１２の電源端子に供給すると共に、電源回路１８を介してＵＨＦ増幅回路１３の電源端子に供給する。
【００１８】
上記電源分離回路１６は、例えば高周波コイルにより構成され、ＶＨＦ帯及びＵＨＦ帯の高周波信号を阻止し、直流電圧のみを選択して取り出す機能を有している。  
電源遮断回路１７は、例えば図２に示すように電源電圧判定回路３１及びスイッチ回路３２からなり、電源分離回路１６から供給される電圧値を電源電圧判定回路３１で判定し、その電圧値に応じてスイッチ回路３２をオン／オフしてＶＨＦ増幅回路１２への電源供給を制御する。すなわち、電源遮断回路１７の電源電圧判定回路３１は、電源分離回路１６から高い直流電圧Ａが供給された場合は、スイッチ回路３２をオンし、直流電圧ＡをＶＨＦ増幅回路１２に供給し、電源分離回路１６から低い直流電圧Ｂが出力された場合は、スイッチ回路３２をオフしてＶＨＦ増幅回路１２への電源供給を遮断し、その動作を停止させる。
【００１９】
電源回路１８は、例えば図２に示すように定電圧回路３３を備え、電源分離回路１６から直流電圧Ａ、Ｂの何れが出力された場合においても、一定の直流電圧をＵＨＦ増幅回路１３に供給し、ＵＨＦ増幅回路１３を常に動作状態に保持する。
【００２０】
一方、電源部２０は、入力端子２１及び出力端子２２を備え、この入力端子２１と出力端子２２との間は信号線２３により接続される。この信号線２３には、出力端子２２側に直流成分を遮断するコンデンサ２４が設けられる。そして、入力端子２１には上記高周波増幅部１０からの同軸ケーブル１９が接続され、出力端子２２は、同軸ケーブルによりテレビ受像機（図示せず）に接続される。
【００２１】
また、電源部２０には、電源回路２５が設けられる。この電源回路２５は、商用交流電源を降圧及び整流し、上記したようにＡ、Ｂの２種類の直流電圧、例えば「Ａ＝１５Ｖ」、「Ｂ＝７．５Ｖ」の直流電圧を出力する。この電源回路２５から出力される直流電圧Ａ、Ｂは、電圧切換スイッチ２６により選択され、重畳回路２７を介して信号線２３に供給される。上記重畳回路２７は、例えば高周波コイルにより構成され、信号線２３により伝送されるＶＨＦ帯及びＵＨＦ帯の高周波信号が電圧切換スイッチ２６側に流れるのを阻止し、電圧切換スイッチ２６により選択された直流電圧ＡまたはＢを信号線２３に供給する。
【００２２】
上記の構成において、ＶＨＦ帯及びＵＨＦ帯の両方のテレビ放送を受信する場合、すなわち、高周波増幅部１０のＶＨＦ増幅回路１２及びＵＨＦ増幅回路１３の両方を動作させる場合には、電源部２０に設けられている電圧切換スイッチ２６により例えば１５Ｖの直流電圧Ａを選択する。この電圧切換スイッチ２６により選択された直流電圧Ａは、重畳回路２７を介して信号線２３に供給され、高周波信号に重畳される。この高周波信号に重畳された直流電圧Ａは、入力端子２１より同軸ケーブル１９を介して高周波増幅部１０の出力端子１５へ送られる。
【００２３】
上記高周波増幅部１０の出力端子１５に送られた直流電圧Ａは、電源分離回路１６でＶＨＦ帯及びＵＨＦ帯の高周波信号から分離して取り出され、電源遮断回路１７及び電源回路１８に供給される。
【００２４】
上記電源遮断回路１７は、電源分離回路１６から直流電圧Ａが供給された場合は、その直流電圧ＡをＶＨＦ増幅回路１２に供給し、このＶＨＦ増幅回路１２を正常動作させる。
【００２５】
また、上記電源回路１８は、電源分離回路１６から供給される直流電圧Ａにより所定の直流電圧を生成してＵＨＦ増幅回路１３に供給し、このＵＨＦ増幅回路１３を正常動作させる。
【００２６】
上記のように電源部２０に設けられている電圧切換スイッチ２６により直流電圧Ａを選択した場合は、高周波増幅部１０のＶＨＦ増幅回路１２及びＵＨＦ増幅回路１３の両方が動作し、アンテナ（図示せず）で受信されたＶＨＦ帯及びＵＨＦ帯のテレビ放送波が増幅される。上記ＶＨＦ増幅回路１２及びＵＨＦ増幅回路１３でそれぞれ増幅されたＶＨＦ帯及びＵＨＦ帯のテレビ放送波は、出力端子１５から同軸ケーブル１９を介して電源部２０の入力端子２１へ送られる。
【００２７】
上記電源部２０の入力端子２１に入力されたＶＨＦ帯及びＵＨＦ帯のテレビ放送波は、信号線２３を介して出力端子２２から出力され、同軸ケーブルによりテレビ受像機へ送られる。このためテレビ受像機では、ＶＨＦ帯及びＵＨＦ帯のテレビ放送波を正常に受信することができる。
【００２８】
そして、その後、地上デジタル放送の開始に伴ってアナログテレビ放送が終了した場合には、電源部２０に設けられている電圧切換スイッチ２６により例えば７．５Ｖの直流電圧Ｂを選択する。この電圧切換スイッチ２６により選択された直流電圧Ｂは、重畳回路２７により信号線２３上の高周波信号に重畳され、同軸ケーブル１９を介して高周波増幅部１０の出力端子１５へ送られる。
【００２９】
上記高周波増幅部１０の出力端子１５に送られた直流電圧Ｂは、電源分離回路１６で高周波信号から分離して取り出され、電源遮断回路１７及び電源回路１８に供給される。
【００３０】
上記電源遮断回路１７は、電源分離回路１６から直流電圧Ａより低い直流電圧Ｂが供給された場合は、ＶＨＦ増幅回路１２への電源供給を遮断し、このＶＨＦ増幅回路１２の増幅動作を停止させる。
【００３１】
また、上記電源回路１８は、電源分離回路１６から直流電圧Ｂが供給された場合においても、所定の直流電圧を生成してＵＨＦ増幅回路１３に供給し、このＵＨＦ増幅回路１３を正常動作させる。
【００３２】
上記のように電源部２０に設けられている電圧切換スイッチ２６により直流電圧Ｂを選択した場合は、高周波増幅部１０のＶＨＦ増幅回路１２の動作が停止し、ＵＨＦ増幅回路１３のみが正常動作し、アンテナで受信されたＵＨＦ帯のテレビ放送波だけが増幅される。上記ＵＨＦ増幅回路１３で増幅されたＵＨＦ帯のテレビ放送波は、出力端子１５から同軸ケーブル１９を介して電源部２０へ伝送され、この電源部２０からテレビ受像機へ送られる。
【００３３】
上記実施形態によれば、室内に配置されている電源部２０の電圧切換スイッチ２６を操作するだけで、アンテナの近く例えば屋根の上に設置されている高周波増幅部１０のＶＨＦ増幅回路１２のオン／オフ動作を任意に制御することができる。このため地上デジタル放送の開始に伴ってアナログテレビ放送が終了し、ＶＨＦ増幅回路１２を動作させる必要がなくなった場合、屋根の上に登ることなく、安全で且つきわめて簡単にＶＨＦ増幅回路１２の電源を遮断して増幅動作を停止させることができる。また、上記ＶＨＦ増幅回路１２の電源を遮断した場合においても、ＵＨＦ増幅回路１３に対しては電源を供給して正常な動作状態を保持することができる。
【００３４】
また、ＶＨＦ増幅回路１２の増幅動作が不要になった場合に、その電源を遮断しているので、ＶＨＦ増幅回路１２の動作を確実に停止させることができ、不要な電波を増幅してテレビ受像機あるいは他の電子機器に悪影響を与える恐れを全く無くすことができる。また、ＶＨＦ増幅回路１２の電源を遮断して増幅動作を停止させることにより、消費電力を低減して電気代を節約できるという経済的効果も得られる。
【００３５】
なお、上記実施形態では、電源部２０において、電源回路２５から出力される２種類の直流電圧Ａ、Ｂを電圧切換スイッチ２６で切換えるようにしたが、電源回路２５に切換スイッチを設け、この切換スイッチにより直流電圧Ａ、Ｂを切換えて出力するようにしてもよい。  
また、本発明は、上記実施形態そのままに限定されるものではなく、実施段階ではその要旨を逸脱しない範囲で構成要素を変形して具体化できるものである。
【図面の簡単な説明】
【００３６】
【図１】本発明の一実施形態に係る高周波増幅装置の構成を示すブロック図である。
【図２】同実施形態における高周波増幅部の電源遮断回路及び電源回路の詳細を示すブロック図である。
【符号の説明】
【００３７】
１０…高周波増幅部、１１…入力端子、１２…ＶＨＦ増幅回路、１３…ＵＨＦ増幅回路、１４…コンデンサ、１５…出力端子、１６…電源分離回路、１７…電源遮断回路、１８…電源回路、１９…同軸ケーブル、２０…電源部、２１…入力端子、２２…出力端子、２３…信号線、２４…コンデンサ、２５…電源回路、２６…電圧切換スイッチ、２７…重畳回路、３１…電源電圧判定回路、３２…スイッチ回路、３３…定電圧回路。
【図１】
2006033364.tif 000003
【図２】
2006033364.tif 000004